(57)【要約】【課題】コスト削減を図ることのできる洗濯乾燥機を提供する。【解決手段】軸方向の一面に開口部２ａを有する水槽２と、開口部２ａを開閉するドア４１と、水槽２内に配される回転自在の回転ドラム３と、回転ドラム３に温風を供給する温風ダクト４０と、温風ダクト４０に着脱自在に設けられるとともに糸屑を捕集する糸屑フィルター２２とを備えた洗濯乾燥機１において、開口部３ａの周面に沿って配した糸屑フィルター２２に設けられるマグネット３０と、ドア４１の背面に設けられるリードスイッチ３１とから成るドア検知スイッチによりドア４１の開閉及び糸屑フィルター２２の着脱を検知した。【選択図】図４
2007307067.tif 000002
【特許請求の範囲】
【請求項１】
軸方向の一面に開口部を有する水槽と、前記開口部を開閉するドアと、前記ドアの開閉を検知するドア検知スイッチと、前記水槽内に配される回転自在の回転ドラムと、前記回転ドラムに温風を供給する温風経路と、前記温風経路に着脱自在に設けられるとともに糸屑を捕集する糸屑フィルターとを備えた洗濯乾燥機において、前記ドア検知スイッチにより前記糸屑フィルターの着脱を検知したことを特徴とする洗濯乾燥機。
【請求項２】
前記ドア検知スイッチはリードスイッチ及び前記リードスイッチに対向配置されるマグネットから成り、前記開口部の周面に沿って配した前記糸屑フィルターに前記マグネットを設けるとともに、前記ドアに前記リードスイッチ設けたことを特徴とする請求項１に記載の洗濯乾燥機。
【請求項３】
前記リードスイッチを前記ドアの背面に突設し、前記ドアを閉じた際に前記リードスイッチが挿入される凹部を前記開口部の周囲に凹設したことを特徴とする請求項２に記載の洗濯乾燥機。
【請求項４】
前記水槽と前記ドアとの間を密閉するパッキンと、前記パッキンの内周面を覆うとともに前記糸屑フィルターが挿入される挿入部を有するパッキンカバーとを備え、前記開口部を前面に配して前記水槽を横設するとともに、前記挿入部の下面が前記回転ドラムの内周面に対向し、該下面に孔部を設けたことを特徴とする請求項２または請求項３に記載の洗濯乾燥機。
【発明の詳細な説明】
【技術分野】
【０００１】
本発明は、温風経路内に糸屑を捕集する糸屑フィルターを備えた洗濯乾燥機に関する。
【背景技術】
【０００２】
回転ドラムを有し、洗濯工程に加えて乾燥工程を行うことのできるドラム式の洗濯乾燥機が従来より知られている。図８はこの洗濯乾燥機の要部を示す側面断面図である。洗濯乾燥機１は前面に開口部２ａを有する筒状の水槽２が外箱５内に横設される。開口部２ａはドア４１により開閉され、開口部２ａの周縁に設けられた軟質樹脂から成る可撓性のパッキン６により水密に閉じることができる。
【０００３】
水槽２内には駆動モータ（不図示）により回転自在の回転ドラム３が配される。回転ドラム３は水槽２の開口部２ａよりも大径の開口部３ａを前面に有し、開口部３ａの周縁にバランサ４が設けられる。ドア４１を開き、開口部２ａ、３ａを介して回転ドラム３内に洗濯物を投入することができる。
【０００４】
また、外箱５とドア４１との間にはドア４１の開閉を検知するドア検知スイッチ（不図示）が設けられる。ドア検知スイッチは外箱５に設けられるマグネット（不図示）とドア４１に設けられるリードスイッチ（不図示）とから成り、マグネットにリードスイッチが接近してドア４１が閉じたことを検知する。これにより、ドア４１が開いた状態で洗濯乾燥機１が駆動されず、前面からの水漏れを防止することができる。また、回転する回転ドラム３内へ手指の挿入を防止することができる。
【０００５】
水槽２の下部には温風ダクト４０が設けられる。温風ダクト４０は水槽２の内周面に沿って配され、水槽２の前面側で上方に屈曲する。温風ダクト４０内にはヒータ４３が配され、温風ダクト４０を流通する空気を昇温する。水槽２の後方に設けたファン（不図示）によって水槽２の背面から流出した空気をヒータ４３で昇温し、前面の吐出口４０ａに導く。これにより、温風ダクト４０を介して循環する温風が回転ドラム３内に供給され、洗濯物の乾燥を行うことができる。
【０００６】
開口部２ａの周縁にはパッキン６を覆う樹脂成形品から成るパッキンカバー２０が設けられる。パッキンカバー２０は温風ダクト５に係合して取り付けられ、吐出口４０ａに面した孔部２０ａを有している。パッキンカバー２０により、軟質樹脂から成るパッキン６が洗濯物との摺動によって破損することを防止する。
【０００７】
また、パッキンカバー２０には糸屑フィルター（不図示）が着脱自在に設けられる。パッキンカバー２０に装着した糸屑フィルターは温風ダクト４０の経路上に配置され、温風ダクト４０を流通する空気内の糸屑等が捕集される。また、糸屑フィルターの装着を検知するフィルター検知スイッチ（不図示）が設けられる。これにより、糸屑フィルターの未装着状態で洗濯乾燥機１の運転が開始されず、洗濯物に対する糸屑の付着を防止することができる。
【０００８】
【特許文献１】特開２００１−１１３０７９号公報
【発明の開示】
【発明が解決しようとする課題】
【０００９】
しかしながら、上記従来の洗濯乾燥機１によると、ドア４１の開閉を検知するドア検知スイッチ及び糸屑フィルターの着脱を検知するフィルター検知スイッチが設けられる。このため、部品点数が多くなり、洗濯乾燥機１のコストが大きくなる問題があった。
【００１０】
本発明は、コスト削減を図ることのできる洗濯乾燥機を提供することを目的とする。
【課題を解決するための手段】
【００１１】
上記目的を達成するために本発明は、軸方向の一面に開口部を有する水槽と、前記開口部を開閉するドアと、前記ドアの開閉を検知するドア検知スイッチと、前記水槽内に配される回転自在の回転ドラムと、前記回転ドラムに温風を供給する温風経路と、前記温風経路に着脱自在に設けられるとともに糸屑を捕集する糸屑フィルターとを備えた洗濯乾燥機において、前記ドア検知スイッチにより前記糸屑フィルターの着脱を検知したことを特徴としている。
【００１２】
この構成によると、回転ドラム内に洗濯物を投入し、ドアを閉じて洗濯乾燥機の運転を開始すると回転ドラムが回転し、温風経路を介して温風が循環して洗濯物の乾燥が行われる。温風経路を流通する空気内の糸屑は糸屑フィルターにより捕集され、洗濯物への糸屑の付着が防止される。また、ドアの開成状態や、糸屑フィルターの未装着または装着不良状態ではドア検知スイッチの検知によって洗濯乾燥機の運転を開始することができない。
【００１３】
また本発明は、上記構成の洗濯乾燥機において、前記ドア検知スイッチはリードスイッチ及び前記リードスイッチに対向配置されるマグネットから成り、前記開口部の周面に沿って配した前記糸屑フィルターに前記マグネットを設けるとともに、前記ドアに前記リードスイッチ設けたことを特徴としている。この構成によると、糸屑フィルターを装着してドアを閉じると、マグネットにリードスイッチか接近してドア検知スイッチがＯＮ状態になる。これにより、洗濯乾燥機の運転を開始することができる。
【００１４】
また本発明は、上記構成の洗濯乾燥機において、前記リードスイッチを前記ドアの背面に突設し、前記ドアを閉じた際に前記リードスイッチが挿入される凹部を前記開口部の周囲に凹設したことを特徴としている。この構成によると、ドアの背面に設けたリードスイッチが凹部に挿入され、開口部の周面に沿って配された糸屑フィルターに設けられるマグネットにリードスイッチが接近する。
【００１５】
また本発明は、上記構成の洗濯乾燥機において、前記水槽と前記ドアとの間を密閉するパッキンと、前記パッキンの内周面を覆うとともに前記糸屑フィルターが挿入される挿入部を有するパッキンカバーとを備え、前記開口部を前面に配して前記水槽を横設するとともに、前記挿入部の下面が前記回転ドラムの内周面に対向し、該下面に孔部を設けたことを特徴としている。
【発明の効果】
【００１６】
本発明によると、ドアの開閉を検知するドア検知スイッチによって糸屑フィルターの着脱を検知するので、部品点数を削減して洗濯乾燥機のコスト削減を図ることができる。
【００１７】
また本発明によると、糸屑フィルターにマグネットを設け、ドアにリードスイッチを設けたのでドアの開閉と糸屑フィルターの着脱を検知するドア検知スイッチを簡単に実現することができる。また、脱着される糸屑フィルターはリード線が配されないため容易に清掃を行うことができる。
【００１８】
また本発明によると、ドアの背面に突設したリードスイッチが挿入される凹部を開口部の周囲に凹設したので、ドアを閉じた際にマグネットとリードスイッチを簡単に接近させることができる。従って、ドア検知スイッチの誤検知を防止することができる。
【００１９】
また本発明によると、パッキンカバーの挿入部の下面が横設される回転ドラムの内周面に対向し、該下面に孔部を設けたので、パッキンカバーから糸屑フィルターを着脱した際に異物を挿入部に落としても孔部を介して回転ドラム内に排出される。これにより、異物を容易に回収し、温風経路内に配されるヒータと異物との接触による発煙等を防止することができる。
【発明を実施するための最良の形態】
【００２０】
以下に本発明の実施形態を図面を参照して説明する。説明の便宜上、前述の図８に示す従来と同様の部分には同一の符号を付している。図１は一実施形態の洗濯乾燥機を示す側面断面図である。ドラム式の洗濯乾燥機１は洗濯物投入口５ａを前面に有する外箱５を備えている。洗濯物投入口５ａは一端を枢支されたドア４１により開閉することができる。
【００２１】
外箱５内には洗濯物投入口５ａに対向する開口部２ａを前面に有した筒状の水槽２が横設される。水槽２は樹脂成形品から成る前部２８及び後部４２を連結して形成される。開口部２ａの周縁には軟質樹脂から成る可撓性のパッキン６が設けられ、ドア４１の背面にパッキン６が当接して開口部２ａを水密に閉じることができる。
【００２２】
水槽２内には駆動モータ４５により回転自在の回転ドラム３が横設される。回転ドラム３は水槽２の開口部２ａよりも大径の開口部３ａを前面に有し、開口部３ａの周縁にバランサ４が設けられる。ドア４１を開いて洗濯物投入口５ａ及び開口部２ａ、３ａを介して回転ドラム３内に洗濯物を投入することができる。回転ドラム３の周面には多数の小孔３ｂが設けられ、回転ドラム３内の洗濯水や空気が水槽２内へ流出できるようになっている。
【００２３】
水槽２の上部には給水路５０、５１が並列に設けられる。給水路５０は市水に接続され、バルブ５３により開閉される。バルブ５３を開くと市水が給水口５２から水槽２内に供給される。また、給水路５１は風呂等に浸漬されるホースが接続される。給水路５１には給水ポンプ５４が設けられ、給水ポンプ５４の駆動によって風呂の残り水が給水口５２から水槽２内に供給される。
【００２４】
水槽２の下部には洗濯液を排水する排水口２ｂが設けられる。排水口２ｂには排水ダクト７の一端が接続され、排水ダクト７の他端は循環ポンプ１２と一体のフィルター装置８に接続される。フィルター装置８はフィルター９を内装し、洗濯液中の糸屑等を捕集する。フィルター９はフィルター装置８の前面カバー８ａを開いて着脱可能になっている。また、循環ポンプ１２の駆動により循環ホース１３を介して水槽２内に洗濯液が戻される。
【００２５】
フィルター装置９の下方には排水ホース１４が接続されている。排水ホース１４には排水モータ１１により開閉される排水弁１０が設けられ、排水弁１０を開いて水槽３内の洗濯液を排水することができる。
【００２６】
水槽２の下部には温風ダクト４０（温風経路）が設けられる。温風ダクト４０は水槽２の内周面に沿って配され、水槽２の前面側で上方に屈曲する。温風ダクト４０内にはヒータ４３が配され、温風ダクト４０を流通する空気を昇温する。水槽２の後方に設けたファン４４によって水槽２の背面から流出した空気をヒータ４３で昇温して前面の吐出口４０ａに導く。これにより、温風ダクト４０を介して循環する温風が回転ドラム３内に供給され、洗濯物の乾燥を行うことができる。
【００２７】
図２は水槽２の前方下部を拡大した側面断面図である。開口部２ａの周縁にはパッキン６を覆う樹脂成形品から成るパッキンカバー２０が設けられる。パッキンカバー２０により、軟質樹脂から成るパッキン６が洗濯物との摺動によって破損することを防止する。パッキンカバー２０は水槽２の内面側で開口部２ａよりも外周側に突出して形成され、吐出口４０ａに面した挿入部２０ｂが形成される。挿入部２０ｂの下面は回転ドラム３の内周面に対向し、孔部２３が形成される。
【００２８】
パッキンカバー２０の挿入部２０ｂには糸屑フィルター２２が設けられる。糸屑フィルター２２は図３に示すように把手部２２ｂを把持して着脱可能になっている。糸屑フィルター２２には吐出口４０ａに面した貫通孔２２ａが設けられ、貫通孔２２ａ内にメッシュ状のフィルター部２２ｃが配される。フィルター部２２ｃによって温風ダクト４０を流通する空気内の糸屑等が捕集される。尚、パッキンカバー２０には貫通孔２２ａに面した孔部２０ａが形成されている。
【００２９】
図４は外装５の内部を前面から見た斜視図である。同図において、糸屑フィルター２２を挿入部２０ｂから脱着した状態を示している。糸屑フィルター２２は水槽２の開口部２ａの周面に沿うアーチ状に形成される。糸屑フィルター２２の把持部２２ｂは周方向の中央に対して後述するマグネット３１の方に寄せて設けられる。これにより、把持部２２ｂの両側の重量バランスを維持し、把持部２２ｂを持ち上げて糸屑フィルター２２を容易に脱着することができる。
【００３０】
把持部２２ｂの両側部には貫通孔２２ａが上下二段に形成される。図５に把持部２２ｂの両側部における洗濯乾燥機１の側面断面図を示すと、貫通孔２２ａは上下に連通し、連通する部分にフィルター部２２ｃが配される。これにより、上部の貫通孔２２ａを流通する空気の糸屑等が捕集される。
【００３１】
図４において、糸屑フィルター２２の一方の周方向端部には下方に突出した突出部２２ｄが設けられる。突出部２２ｄにはマグネット３１が配されている。ドア４１の背面にはリードスイッチ３０が突出して設けられる。また、水槽２の前面には前部２８に取り付けられる前面カバー２７が設けられる。前面カバー２７には開口部２ａの周囲に凹部２７ａが凹設される。凹部２７ａは糸屑フィルター２２の装着時にマグネット３１に対向する位置に設けられる。凹部２７ａに対応して水槽２の前部２８にも凹部２８ａ（図６参照）が形成されている。
【００３２】
ドア４１を閉じると凹部２７ａにリードスイッチ３０が挿入される。図６、図７はこの時の状態を示す側面断面図及び上面断面図である。凹部２７ａに挿入されるリードスイッチ３０は挿入部２０ｂに挿入される糸屑フィルター２２のマグネット３０に前部２８の前壁及び前面カバー２７を介して接近する。
【００３３】
これにより、リードスイッチ３０がＯＮ状態となり、ドア４１が閉じられたことを検知して回転ドラム３を回転駆動することができる。従って、リードスイッチ３０及びマグネット３１はドア４１の開閉を検知するドア検知スイッチを構成する。ドア４１が開いた状態では回転ドラム３が回転しないため、前面からの水漏れを防止することができる。また、回転する回転ドラム３内へ手指の挿入を防止することができる。
【００３４】
また、糸屑フィルター２２を挿入部２０ｂに挿入していない状態ではドア４１を閉じてもリードスイッチ３０がＯＮ状態にならない。これにより、使用者が糸屑フィルター２２の装着を忘れた際に洗濯乾燥機１の運転が開始されないため、洗濯物に対する糸屑の付着を防止することができる。
【００３５】
上記構成の洗濯乾燥機１において、洗濯物投入口５ａから洗濯物を回転ドラム３内に投入し、ドア４１が閉じられる。運転開始操作を行うと給水路５０または給水路５１から水槽２内に給水される。所定の水位になると給水が停止して駆動モータ４５の駆動により回転ドラム３が回転し、洗い工程が行われる。洗い工程では循環ポンプ１２の駆動により循環ホース１３を介して洗濯液が循環され、フィルター装置８によって糸屑等が捕集される。
【００３６】
洗い工程が終了すると排水弁１０が開かれ、排水ホース１４を介して洗濯液が排水される。排水が終了すると排水弁１０が閉じられ、給水路５０または給水路５１から水槽２内に給水される。所定の水位になると給水が停止して駆動モータ４５の駆動により回転ドラム３が回転し、すすぎ工程が行われる。この間、循環ポンプ１２の駆動により循環ホース１３を介して洗濯液が循環される。排水弁１０を開いて給水を行いながらすすぎ工程を行ってもよい。
【００３７】
すすぎ工程が終了すると排水弁１０を開いて洗濯液が排水される。そして、回転ドラム３を高速回転して脱水工程が行われる。脱水により洗濯物から取り出された水は排水ホース１４を介して排水される。
【００３８】
脱水工程が終了すると洗濯工程が終了し、排水弁１０が閉じられてファン４４及びヒータ４３に通電される。そして、回転ドラム３を回転して乾燥工程が行われる。乾燥工程では温風ダクト４０を介して回転ドラム３内の温風が循環し、糸屑フィルター２２により糸屑等が捕集される。
【００３９】
本実施形態によると、リードスイッチ３０及びマグネット３１から成るドア検知スイッチによって糸屑フィルター２２の着脱を検知するので部品点数を削減して洗濯乾燥機１のコスト削減を図ることができる。また、脱着される糸屑フィルター２２にはリード線が配されないため容易に清掃を行うことができる。
【００４０】
また、ドア４１の背面に突設したリードスイッチ３０が挿入される凹部２７を開口部２ａの周囲に凹設したので、ドア４１を閉じた際にマグネット３１とリードスイッチ３０を簡単に接近させることができる。従って、ドア検知スイッチの誤検知を防止することができる。
【００４１】
また、パッキンカバー２０の挿入部２０ｂの下面が横設される回転ドラム３の内周面に対向し、該下面に孔部２３を設けたので、パッキンカバー２０から糸屑フィルター２２を着脱した際に異物を挿入部２０ｂに落としても孔部２３を介して回転ドラム３内に排出される。これにより、異物を容易に回収し、温風ダクト４０内に配されるヒータ４３と異物との接触による発煙等を防止することができる。挿入部２０ｂの下面を温風ダクト４０の吐出口４０ａよりも下方に配置するとより望ましい。
【００４２】
尚、本実施形態において、回転ドラム３及び水槽２を横設した洗濯乾燥機１について説明しているが、回転ドラム３及び水槽２を立設した洗濯乾燥機１についても同様のドア検知スイッチを設けることによって部品点数を削減することができる。
【産業上の利用可能性】
【００４３】
本発明によると、温風経路内に糸屑を捕集する糸屑フィルターを備えた洗濯乾燥機に利用することができる。
【図面の簡単な説明】
【００４４】
【図１】本発明の実施形態の洗濯乾燥機を示す側面断面図
【図２】本発明の実施形態の洗濯乾燥機の水槽の前方下部を示す側面断面図
【図３】本発明の実施形態の洗濯乾燥機の糸屑フィルターを取り外した状態を示す側面断面図
【図４】本発明の実施形態の洗濯乾燥機の外箱内部を示す斜視図
【図５】本発明の実施形態の洗濯乾燥機の水槽の前方下部を示す側面断面図
【図６】本発明の実施形態の洗濯乾燥機のドア検知スイッチ近傍を示す側面断面図
【図７】本発明の実施形態の洗濯乾燥機のドア検知スイッチ近傍を示す上面断面図
【図８】従来の洗濯乾燥機の水槽の前方下部を示す側面断面図
【符号の説明】
【００４５】
１    洗濯乾燥機
２    水槽
２ａ  開口部
３    回転ドラム
３ａ  開口部
５    外箱
６    パッキン
７    排水ダクト
８    フィルター装置
１３    循環ホース
１４    排水ホース
２０    パッキンカバー
２０ｂ  挿入部
２２    糸屑フィルター
２２ｂ  把手部
２２ｃ  フィルター部
２３    孔部
３０    リードスイッチ
３１    マグネット
４０    温風ダクト
４１    ドア
４３    ヒータ
４４    ファン
４５    駆動モータ
５０、５１  給水路
５２    給水口
【図１】
2007307067.tif 000003
【図２】
2007307067.tif 000004
【図３】
2007307067.tif 000005
【図４】
2007307067.tif 000006
【図５】
2007307067.tif 000007
【図６】
2007307067.tif 000008
【図７】
2007307067.tif 000009
【図８】
2007307067.tif 000010